(57)【特許請求の範囲】
【請求項１】
一端部が浴槽の浴水を吸い込む吸水口となり且つ他端が浴水を浴槽に返送するための吐出口となったポンプを備えた循環流路と、循環流路から分岐され途中に精密ろ過フィルタを有するろ過槽を設けた副流路と、循環流路から分岐され副流路のろ過槽よりも上流側に連通接続され途中に電解電極槽を設けた第一補助流路と、ろ過槽の精密ろ過フィルタの上流側と循環流路のポンプよりも上流側に接続される第二補助流路とを備え、吐出口に設けた絞り部に副流路の下流側端部を連通接続して成ることを特徴とする浴水浄化装置。
【発明の詳細な説明】
【０００１】
【発明の属する技術分野】
本発明は、家庭用浴槽、あるいは公共用浴槽内の浴水中の汚濁物質を精密ろ過フィルタにてろ過する循環式の浴水浄化装置に関するものである。
【０００２】
【従来の技術】
従来から、図９に示すように、一端部が浴槽１の浴水を吸い込む吸水口１５ａとなり且つ他端が浴水を浴槽１に返送するための吐出口１５ｂとなったポンプ３を備えた循環流路２と、循環流路２から分岐された途中に精密ろ過フィルタ４を有するろ過槽２４を設けた副流路１１とを備えた浴水浄化装置が知られている。このものにおいては副流路１１の下流側端部を循環流路２に機器本体内において連通接続しており、具体的には循環流路２のヒータ８の近くで連通接続していた。そして、吸水口１５ａから吸い込まれた浴槽１の浴水は一部が副流路１１側に流れ、副流路１１に流れた浴水は精密ろ過フィルタ４により浄化され、浄化された浴水は再び循環流路２に合流し、ヒータ８で加温され、吐出口１５ｂへと流れて吐出口１５ｂから浴槽１内に返送されるようになっている。
【０００３】
ここで、浴槽１への十分な循環流を与えるために（つまり、浴槽１中の浮遊物収集、十分な湯の撹拌による温度むらを無くすため）吐出口１５ｂには図１０に示すように絞り部１５ｃが設けてある。また、吐出部１５ｂの先端部は水量調整のために角度調整自在となっている。
【０００４】
しかして、上記のような従来例にあっては、ポンプ３能力により精密ろ過フィルタ４への副流路１１に流す水量が制限され、通常浄化運転時に精密ろ過フィルタ４通過流量が少なくて、浴水中の懸濁物を十分に捕捉しきれずに浴水に濁りが生じてしまうという問題があった。
【０００５】
【発明が解決しようとする課題】
本発明は上記の問題点に鑑みて発明したものであり、精密ろ過フィルタへの通過水量を大きくし、精密ろ過フィルタの浄化性能を良好にできる浴水浄化装置を提供することを課題とするものである。
【０００６】
【課題を解決するための手段】
上記課題を解決するために本発明の浴水浄化装置は、一端部が浴槽１の浴水を吸い込む吸水口１５ａとなり且つ他端が浴水を浴槽１に返送するための吐出口１５ｂとなったポンプ３を備えた循環流路２と、循環流路２から分岐され途中に精密ろ過フィルタ４を有するろ過槽２４を設けた副流路１１と、循環流路２から分岐され副流路１１のろ過槽２４よりも上流側に連通接続され途中に電解電極槽６を設けた第一補助流路１２と、ろ過槽２４の精密ろ過フィルタ４の上流側と循環流路２のポンプ３よりも上流側に接続される第二補助流路２３とを備え、吐出口１５ｂに設けた絞り部１５ｃに副流路１１の下流側端部を連通接続して成ることを特徴とするものである。このような構成とすることで、絞り部におけるエゼクター効果により循環流路２を流れる水流により副流路１１の浴水が吸い込まれて吐出口１５ｂから噴出されるものであり、これにより精密ろ過フィルタ４を通過する水量を大きくできることになり、またこの時、第一補助流路１２により電解電極槽６から塩素、次亜塩素酸イオンによりろ過槽２４を殺菌洗浄可能となるとともに、第二補助流路２３によりろ過槽２４の物理的洗浄が可能となり、ろ過槽２４の洗浄も行うことができるものである。
【０００７】
【発明の実施の形態】
以下、本発明の実施の形態を説明する。
【０００８】
図１に、本発明の浴水浄化装置の配管構成を示す。循環流路２の一端部が吸水口１５ａ、他端部が吐出口１５ｂとなり、この吸水口１５ａ、吐出口１５ｂはともに吸・吐水ユニット１５に設けてあり、吸・吐水ユニット１５は浴槽１内の浴水内に浸けてある。循環流路２には、上流側から下流側にかけて、順に、吸水口１５ａ、ポンプ３、第二開閉弁１７、第三開閉弁１８、ヒータ８、吐出口１５ｂを順に設けている。循環流路２の吐出口１５ｂは図７に示すように絞り部１５ｃと絞り部１５ｃの下流に設けた回動自在なノズル部１５ｄとで構成してある。ノズル部１５ｄを回動することで水量調整を行うようになっており、図８にはノズル部１１ｄを回動して角度を変えて水量調整をした状態を示している。また、吸水口１５ａ部分には図７に示すように、フィルタ１５ｅが設けてある。
【０００９】
循環流路２のポンプ３と第二開閉弁１７との間から副流路１１が分岐してあり、副流路１には上流側から下流側にかけて、順に、ろ過槽２４、第一開閉弁１６を設けている。ろ過槽２４は、循環流路２から分岐した副流路１１を流通する浴水のろ過を行うための、中空糸膜からなる精密ろ過フィルタ４が内装されている。この精密ろ過フィルタ４は、ろ過槽２４内を副流路１１の上流側と下流側に仕切るように配設するものである。またろ過槽２４には、精密ろ過フィルタ４の上流側に、流水吐水口を有する回転自在な洗浄用ノズル５を設けている。この洗浄用ノズル５は、モータの働きにより精密ろ過フィルタ４の上流側の外周を回転するように構成するものであり、また回転と同時に流水吐出口１０から浴水を精密ろ過フィルタ４の上流側の表面に吐出して精密ろ過フィルタ４を上流側において洗浄するようになっている。副流路１１の下流側の端部は図７、図８に示すように、吐出口１５ｂの絞り部１５ｃに設けた合流孔２９において連通接続してある。
【００１０】
また循環流路２の第二開閉弁１７と第三開閉弁１８との間からは、第一補助流路１２を分岐して設けている。この第一補助流路１２には、上流側から下流側にかけて、順に第一切替弁２０、電解電極槽６、第四開閉弁１９を設けている。また第一切替弁２０と電解電極槽６とを、別の分岐流路１３にて接続し、この分岐流路１３に塩溶解槽７を設けている。ここで塩溶解槽７は、内部に塩化ナトリウムが収容されるものである。また第一補助流路１２の下流側の他端は副流路１１のろ過槽２４よりも上流側に連通接続している。ここで第一切替弁２０は、第一補助流路１２と分岐流路１３との分岐点において、第一補助流路１２の上流側、第一補助流路１２の下流側、分岐流路１３の下流側のそれぞれへの流通を開閉するものである。
【００１１】
上記の電解電極槽６は、容器内に一対の不溶性電極板からなる電極を、隔膜を介することなく対向配置した無隔膜タイプのものとして形成している。この容器内の水に、塩溶解槽７から供給された塩化ナトリウムが溶解している場合、一対の電極間に電圧を印加すると、塩化ナトリウムの電気分解により塩素（Ｃｌ2）や次亜塩素酸イオン（ＣｌＯ-）が発生し、洗浄殺菌水を生成することができるものである。
【００１２】
また上記のろ過槽２４には、精密ろ過フィルタ４の上流側において、第二補助流路２３の一端部を連通接続しており、この第二補助流路２３の他端部は、循環流路２の、ポンプ３よりも上流側に連通接続している。この第二補助流路２３からは排水流路１４を分岐して設けており、この第二補助流路２３と排水流路１４との分岐点には、第二切替弁２１を設けている。ここで第二切替弁２１は、第二補助流路２３と排水流路１４との分岐点において、第二補助流路２３のポンプ３側、第二補助流路２３のろ過槽２４側、排水流路１４の排水側のそれぞれへの流通を開閉するものである。
【００１３】
ここで、第一開閉弁１６、第二開閉弁１７、第三開閉弁１８、第四開閉弁１９、第一切替弁２０、第二切替弁２１のそれぞれのものは、電磁弁、電動弁等にて形成することができる。
【００１４】
また上記のろ過槽２４は、外部から分離膜の上流側に酸及び酸素系洗浄剤を投入できるように形成するものであり、例えば、分離膜の下流側を開口すると共に、この開口を閉ざす蓋体２５を着脱自在に設け、更に分離膜をこの開口からろ過槽２４外へ脱離可能に設け、蓋体２５を脱離させた後分離膜を脱離し、この開口から上記酸及び酸素系洗浄剤を投入した後、分離膜及び蓋体２５を再び装着できるようにするものである。
【００１５】
またこの浴水浄化装置には入力操作部と制御回路からなる制御部の制御回路を、配管上のポンプ３、電解電極槽６、ヒータ８、各開閉弁１６、１７、１８、１９、各切替弁２０、２１、並びにろ過槽２４のモータに接続して、使用者が入力操作部に入力する指示内容に従って、制御回路が配管上のポンプ３、電解電極槽６、ヒータ８、各開閉弁１６、１７、１８、１９、各切替弁２０、２１、並びにろ過槽２４のモータの動作を制御するようにしたものである。
【００１６】
図２は上記の構成の本発明の浴水浄化装置において、浴水の浄化時における装置内の浴水の流れを矢印で示すと共に、第一開閉弁１６、第二開閉弁１７、第三開閉弁１８、第四開閉弁１９、第一切替弁２０、第二切替弁２１の各弁のうち、閉状態となっている箇所を黒く塗りつぶすことで明示したものである。図２に示すように、浴水の洗浄時においては、第一開閉弁１６を開状態、第二開閉弁１７を開状態、第三開閉弁１８を開状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を閉状態、排水流路１４の排水側を閉状態とするものである。このときポンプ３を作動させると、吸・吐水口１５からポンプ３にて吸引された浴水は循環流路２を流れ、ヒータ８を通って加温されて、吐出口１５ｂ部分に流れ絞り部１５ｃで絞られて、流速を増大されてノズル部１５ｄから浴槽１内に噴出して返送されるのであるが、この場合、循環流路２を流れる浴水の一部が副流路１１を流れ、ろ過槽２４内に設けられた中空糸膜からなる精密ろ過フィルタ４を通過する際に、浴水中の垢、微生物、微生物の代謝生産物等の懸濁物質や汚濁物質が除去された後、副流路１１の先端から絞り部１５ｃ部分において、吐出口１５ｂに吸引され、循環流路２を流れる加温された湯水と合流して、流速を増大されてノズル部１５ｄから浴槽１内に噴出して返送されるのである。ここで、上記のように、絞り部１５ｃ部分で副流路１１の先端が連通接続してあるので、絞り部１５ｃで流速を増した循環流路２を流れる浴水にエゼクター効果により副流路１１を流れる浴水が吸い込まれることになり、この結果、副流路１１を流れる流速が速くなり、精密ろ過フィルタ４の通過水量が増大して精密ろ過フィルタ４の浄化性能を良好にしている。ちなみに、実験の結果、図９、図１０に示す従来例に比べ、絞り部１５ｃ部分に副流路１１の先端部を連通接続したものにおいては副流路１１を流れる流量が５〜１０％向上することができることが判明した。
【００１７】
また上記のように浴水の浄化を行いながら、電解電極槽６の一対の電極間に電圧を印加することにより、電解電極槽６内において洗浄殺菌水を生成することができるものである。このときは、あらかじめ電解電極槽６中に塩化ナトリウムが供給されている状態で、一定時間一定電圧を印加することにより、無隔膜電化槽中に洗浄殺菌水を生成させるものである。
【００１８】
図３は、ろ過槽２４の精密ろ過フィルタ４の物理的洗浄時における装置内の浴水の流れを矢印で示したものである。図３に示すように、精密ろ過フィルタ４の物理的洗浄時においては、第一開閉弁１６を閉状態、第二開閉弁１７を閉状態、第三開閉弁１８を閉状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を開状態、排水流路１４の排水側を閉状態とするものである。またこのときろ過槽２４に設けられた洗浄用ノズル５をモータにて回転させるものである。このときポンプ３、精密ろ過フィルタ４、及びろ過槽２４に備えられたノズル５を含む閉流路が形成され、浴水がこの閉流路を循環するものである。すなわち副流路１１を通ってろ過槽２４へ達した浴水は、回転する洗浄用ノズル５の流水吐出口１０から精密ろ過フィルタ４の表面に向けてまんべんなく吹きつけられ、水流の勢いにより精密ろ過フィルタ４表面の付着物を除去し、更に第二補助流路２３を通じて循環流路２のポンプ３よりも上流側に送られて、再びろ過槽２４へと送られる。このようにして一定時間精密ろ過フィルタ４の物理洗浄を行った後、図４に示すように、第二切替弁２１を、第二補助流路２３のポンプ３側を閉状態、第二補助流路２３のろ過槽２４側を開状態、排水流路１４の排水側を開状態とする。このようにすると、分離膜の物理洗浄に用いられ、懸濁物質や汚濁物質が混入した閉流路内の浴水が、排水流路１４を通じて装置外部へ排出されるものである。そしてこのようにして一定時間排水を行った後、各開閉弁１６、１７、１８、１９及び切替弁を図２に示すよう状態へ復帰させて、再び浴水の浄化を行うものである。
【００１９】
図５は、分離膜の殺菌洗浄時における装置内の浴水の流れを矢印で示したものである。精密ろ過フィルタ４の殺菌洗浄時においては、図２に示す状態で電解電極槽６にて殺菌洗浄水を生成した後、図５に示すように、第一開閉弁１６を開状態、第二開閉弁１７を開状態、第三開閉弁１８を開状態、第四開閉弁１９を開状態とするものであり、また第一切替弁２０においては第一補助流路１２の上流側を開状態、第一補助流路１２の下流側を閉状態、分岐流路１３の下流側を開状態とし、第二切替弁２１においては、第二補助流路２３のポンプ３側を開状態、第二補助流路２３のろ過槽２４側を閉状態、排水流路１４の排水側を開状態とするものである。このようにすると、図２に示す浴水の浄化時の流路に加えて、副流路１１から分岐して塩溶解槽７、電解電極槽６を順に通り、再び副流路１１の、ろ過槽２４よりも上流側に接続される流路が形成され、電解電極槽６にて生成された殺菌洗浄水が、分離膜を通過するようにするものであり、この殺菌洗浄水中の塩素（Ｃｌ２）、次亜塩素酸イオン（ＣｌＯ-）により、分離膜の付着物を分解すると共に、殺菌を行うものである。またこのとき同時に塩溶解槽７を通過して塩溶解槽７中の塩化ナトリウムが溶解した浴水が電解電極槽６に供給され、次回の分離膜の殺菌洗浄に用いるための殺菌洗浄水の生成に利用されるものである。そして続いて各開閉弁１６、１７、１８、１９及び各切替弁２０、２１を制御して図２に示す状態とし、再び浴水の浄化を行うものである。
【００２０】
【発明の効果】
上記のように本発明にあっては、一端部が浴槽の浴水を吸い込む吸水口となり且つ他端が浴水を浴槽に返送するための吐出口となったポンプを備えた循環流路と、循環流路から分岐され途中に精密ろ過フィルタを有するろ過槽を設けた副流路と、循環流路から分岐され副流路のろ過槽よりも上流側に連通接続され途中に電解電極槽を設けた第一補助流路と、ろ過槽の精密ろ過フィルタの上流側と循環流路のポンプよりも上流側に接続される第二補助流路とを備え、吐出口に設けた絞り部に副流路の下流側端部を連通接続してので、絞り部におけるエゼクター効果により副流路からの浴水が吸い込まれて循環流路を流れて絞り部で流速を速められた浴水と合流して吐出口から浴槽内に吐出されるものであり、このようにエゼクター効果により副流路を流れる浴水を吸い込んで副流路を流れる浴水の流量を増大できるので、精密ろ過フィルタを流れる浴水の流量を増大できて、浄化水量が向上し、浴水中の懸濁物をより多く捕捉して浴水に濁りが生じないようにでき、またこの時、第一補助流路により電解電極槽から塩素、次亜塩素酸イオンによりろ過槽を殺菌洗浄可能となるとともに、第二補助流路によりろ過槽の物理的洗浄が可能となり、ろ過槽の洗浄も行うことができ、浄化性能の良好な浴水浄化装置とすることができるものである。
【図面の簡単な説明】
【図１】本発明の実施の形態の一例を示す概略図である。
【図２】同上の動作を示す概略図である
【図３】同上の他の動作を示す概略図である。
【図４】同上の更に他の動作を示す概略図である。
【図５】同上の更に他の動作を示す概略図である。
【図６】同上の装置の全体正面図である。
【図７】同上の吸・吐水ユニット部分の断面図である。
【図８】同上のノズル部の角度を変えた状態を示す断面図である。
【図９】従来例を示す概略図である。
【図１０】従来例の吸・吐水ユニット部分の断面図である。
【符号の説明】
１  浴槽
２  循環流路
３  ポンプ
４  精密ろ過フィルタ
１１  副流路
１５ａ  吸水口
１５ｂ  吐出口
１５ｃ  絞り部
【図１】
0003807123.tif 000002
【図２】
0003807123.tif 000003
【図３】
0003807123.tif 000004
【図４】
0003807123.tif 000005
【図５】
0003807123.tif 000006
【図６】
0003807123.tif 000007
【図７】
0003807123.tif 000008
【図８】
0003807123.tif 000009
【図９】
0003807123.tif 000010
【図１０】
0003807123.tif 000011